【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
エチレン系不飽和基および、光開始剤として式ＩまたはＩＩまたはＩＩＩで表される少なくとも１種のヒドロキサム酸エステル類を有する、ラジカル的に光重合性のオリゴマーおよび／またはモノマーを含む、光重合性系： 
【化１】
2010520314.tif 000001
式中、ＸはＯまたはＳであり；Ｒは、フェニルまたは１つもしくは２つ以上のＣ１〜Ｃ１２直鎖状もしくは分枝状アルキルもしくはシクロアルキル、Ｃ１〜Ｃ４ハロアルキル、ハロゲン、ニトロ、シアノ、フェニル、ベンジル、ＯＲ０、ＮＲ１Ｒ２、ＳＲ３、ベンゾイル、Ｓ（＝Ｏ）−フェニル、Ｓ（＝Ｏ）２−フェニルおよび／またはＳ−フェニルで置換されているフェニルであり、置換基ＯＲ０、ＮＲ１Ｒ２、ＳＲ３は、場合によっては、ラジカルＲ０、Ｒ１、Ｒ２および／またはＲ３を介して、またはフェニル環上の他の置換基と共に、またはフェニル環の炭素原子の１つと共に、５員環または６員環を形成し、あるいは、Ｒは、 
【化２】
2010520314.tif 000002
式中、Ｚ１およびＺ２は、互いに独立して単結合、Ｓ、Ｏ、Ｓ＝Ｏ、Ｓ（＝Ｏ）２、Ｃ＝Ｏ、Ｃ＝Ｓ、ＮＲ１、Ｃ（＝Ｎ）Ｒ１、非置換であるかまたはＣ１〜Ｃ１２アルキルで置換されているＣ１〜Ｃ２アルキレンであり、Ｙ１およびＹ２は、互いに独立してＣ１〜Ｃ１２直鎖状または分枝状アルキル、Ｃ１〜Ｃ４ハロアルキル、シクロアルキル、ハロゲン、フェニル、ベンジル、ＯＲ０、ＮＲ１Ｒ２、ＳＲ３、ベンゾイル、Ｓ（＝Ｏ）−フェニル、Ｓ（＝Ｏ）２−フェニルおよび／またはＳ−フェニルであり、置換基ＯＲ０、ＮＲ１Ｒ２、ＳＲ３は、場合によっては、ラジカルＲ０、Ｒ１、Ｒ２および／またはＲ３を介して、またはフェニル環上の他の置換基と共に、またはフェニル環の炭素原子の１つと共に、５員環または６員環を形成し、ラジカルＣ１〜Ｃ１２アルキル、Ｃ１〜Ｃ４ハロアルキル、フェニルは、場合によっては、（Ｃ＝Ｏ）Ｎ（Ｒ’）ＯＲ”基で置換されており、あるいは、Ｒは、ナフチル、アントラシル、フェナントリルであり、ラジカルナフチル、アントラシルおよびフェナントリルは、非置換であるか、または１つもしくは２つ以上のＣ１〜Ｃ６直鎖状もしくは分枝状アルキルもしくはシクロアルキル、フェニル、ＯＲ０、ＮＲ１Ｒ２、ＳＲ３および／またはＳ−フェニルで置換されており、置換基ＯＲ０、ＮＲ１Ｒ２、ＳＲ３は、場合によっては、ラジカルＲ０、Ｒ１、Ｒ２および／またはＲ３を介して、またはナフチル、アントラシルもしくはフェナントリル環上の他の置換基と共に、またはナフチル、アントラシルもしくはフェナントリル環の炭素原子の１つと共に、５員環または６員環を形成し、あるいは、Ｒは、Ｏ、ＳおよびＮから選択される１個または２個のヘテロ原子を含む５員または６員の複素環式不飽和ラジカルであり、これは、非置換であるか、またはＣ１〜Ｃ６アルキル、フェニル、ＯＲ０、ＮＲ１Ｒ２、ＳＲ３および／またはＳ−フェニルで置換されており、置換基ＯＲ０、ＮＲ１Ｒ２、ＳＲ３は、場合によっては、ラジカルＲ０、Ｒ１、Ｒ２および／またはＲ３を介して、または複素環式不飽和ラジカル上の他の置換基と共に、または複素環式不飽和ラジカルの炭素原子の１つと共に、５員環または６員環を形成し；Ｒ’は、非置換であるか、またはＯＨ、Ｃ１〜Ｃ４アルコキシ、ＳＨ、ＮＲ１Ｒ２、フェニル、ベンジル、ベンゾイル、Ｃ１〜Ｃ１２アルキルスルホニル、フェニルスルホニル、（４−メチルフェニル）スルホニルおよび／またはＣ１〜Ｃ６アルカノイルで置換されているＣ１〜Ｃ１２直鎖状もしくは分枝状アルキル基もしくはシクロアルキル、またはＣ５〜Ｃ８シクロアルキルであり、あるいは、Ｒ’は、１つまたは２つ以上の−Ｏ−により中断されたＣ２〜Ｃ１２アルキルであり、上記の中断されたＣ２〜Ｃ１２アルキルは、非置換であるか、またはＯＨ、Ｃ１〜Ｃ４アルコキシ、Ｃ１〜Ｃ１２アルキルスルホニル、フェニルスルホニル、（４−メチルフェニル）スルホニルおよび／またはＣ１〜Ｃ６アルカノイルで置換されており、あるいは、Ｒ’は、フェニル、または１つもしくは２つ以上のＣ１〜Ｃ１２アルキル、Ｃ５〜Ｃ８シクロアルキル、Ｃ１〜Ｃ４ハロアルキル、ハロゲン、フェニル、ＯＲ０、ＮＲ１Ｒ２、ＳＲ３、ベンゾイル、Ｓ（＝Ｏ）−フェニル、Ｓ（＝Ｏ）２−フェニルおよび／またはＳ−フェニルで置換されているフェニルであり、置換基ＯＲ０、ＮＲ１Ｒ２、ＳＲ３は、場合によっては、ラジカルＲ０、Ｒ１、Ｒ２および／またはＲ３を介して、またはフェニル環上の他の置換基と共に、またはフェニル環の炭素原子の１つと共に、５員環または６員環を形成し；Ｒ”は、Ｒ’の意味の１つを有し、 
あるいは、Ｒ”は（Ｃ＝Ｏ）Ｒ'''であり、Ｒ'''は、Ｒ’の意味の１つを有し、またはＲ'''は、Ｃ１３〜Ｃ１８直鎖状または分枝状アルキル基またはシクロアルキルであり、あるいは、Ｒ”は、Ｃ１〜Ｃ１８直鎖状または分枝状アルキルスルホ塩化物またはシクロアルキルスルホ塩化物またはフェニルスルホ塩化物であり、ここで、フェニルは、非置換であるか、または１つもしくは２つ以上のＣ１〜Ｃ１２アルキル、Ｃ５〜Ｃ８シクロアルキル、Ｃ１〜Ｃ４ハロアルキル、ハロゲン、フェニル、ＯＲ０、ＮＲ１Ｒ２、ＳＲ３、ベンゾイルおよびＳ−フェニルで置換されており；Ｒ０は、水素、フェニル、ベンジル、非置換であるか、またはフェニル、ベンジル、ベンゾイル、ＯＨ、Ｃ１〜Ｃ１２アルコキシ、Ｃ１〜Ｃ１２アルキルスルホニル、フェニルスルホニル、（４−メチルフェニル）スルホニルで、もしくはＣ２〜Ｃ６アルカノイルにより置換されているＣ１〜Ｃ１２アルキルであり、あるいは、Ｒ０は、１つまたは２つ以上の−Ｏ−により中断されたＣ２〜Ｃ１２アルキルであり、上記の中断されたＣ２〜Ｃ１２アルキルは、非置換であるか、またはフェニル、ＯＨ、Ｃ１〜Ｃ１２アルコキシ、Ｃ１〜Ｃ１２アルキルスルホニル、フェニルスルホニル、（４−メチルフェニル）スルホニルで、および／またはＣ２〜Ｃ６アルカノイルにより置換されており；Ｒ１およびＲ２は、互いに独立して、水素、非置換であるか、またはＯＨ、Ｃ１〜Ｃ４アルコキシ、Ｃ１〜Ｃ１２アルキルスルホニル、フェニルスルホニル、（４−メチルフェニル）スルホニルおよび／またはＣ１〜Ｃ６アルカノイルにより置換されているＣ１〜Ｃ１２アルキルであり、あるいは、Ｒ１およびＲ２は、１つまたは２つ以上の−Ｏ−により中断されたＣ２〜Ｃ１２アルキルまたはシクロアルキルであり、上記の中断されたＣ２〜Ｃ１２アルキルは、非置換であるか、またはＯＨ、Ｃ１〜Ｃ４アルコキシ、Ｃ１〜Ｃ１２アルキルスルホニル、フェニルスルホニル、（４−メチルフェニル）スルホニルおよび／またはＣ１〜Ｃ６アルカノイルで置換されており、あるいは、Ｒ１およびＲ２は、フェニル、Ｃ２〜Ｃ６アルカノイル、ベンゾイル、Ｃ１〜Ｃ６アルキルスルホニル、フェニルスルホニル、（４−メチルフェニル）スルホニル、ナフチルスルホニル、アントラシルスルホニルまたはフェナントリルスルホニルであり、あるいは、Ｒ１およびＲ２は、これらが結合している窒素原子と共に、−Ｏ−、−Ｓ−により、または−ＮＲ０により中断されていてもよい５員環、６員環または７員環を形成し；Ｒ３は、非置換であるか、またはＯＨおよび／またはＣ１〜Ｃ４アルコキシで置換されているＣ１〜Ｃ１２アルキルであり、あるいは、Ｒ３は、１つまたは２つ以上の−Ｏ−により中断されているＣ２〜Ｃ１２アルキルであり、前記中断されたＣ２〜Ｃ１２アルキルは、非置換であるか、またはＯＨおよび／またはＣ１〜Ｃ４アルコキシで置換されている。